(57)【要約】      （修正有）【課題】浴室等においてスノコ上に畳を簡単に組み立てて使用でき、また、畳上に湯を流した場合でも畳から容易に水分が排出できる材質及び構造を有する介護用移動組立畳を提供することを技術的課題とする。【解決手段】プラスティック段ボール３ａ、３ｂから成る中空状合成樹脂プレート及び発泡ポリスチレン製芯材２ａ、２ｂを積層した畳床からなる水洗い可能な畳をスノコＢ上面に着脱自在に固定するようにした。【選択図】図２
0003142709.tif 000002
【実用新案登録請求の範囲】
【請求項１】
プラスティック段ボールから成る中空状合成樹脂プレート及び発泡ポリスチレン製芯材を積層した畳床からなる水洗い可能な畳をスノコ上面に着脱自在に固定するようにした介護用移動組立畳。
【請求項２】
前記水洗い可能な畳がプラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを積層すると共に、合成樹脂製畳表を発泡ポリスチレン製芯材と中空状合成樹脂プレートとの側面で縫合わせるようにした水洗い可能な畳の構造であって、前記スノコの上面に複数の勘合凸部を設けると共に、この勘合凸部に嵌め込む複数の嵌込凹部を水洗い可能な畳底面に設け、これら複数の嵌込凹部は前記底部のプラスティック段ボールを打ち抜いて、前記底部側のプラスティック段ボールの嵌込凹部に前記スノコの勘合凸部が支持されるようにした請求項１記載の介護用移動組立畳。
【考案の詳細な説明】
【考案の詳細な説明】
【技術分野】
【０００１】  本考案は風呂場等水周りにおいて使用でき、また水洗い可能な介護用移動組立畳であって、本出願人の特許第３８７３２３９号及び特許第４０２２６６０号を利用した介護用移動組立畳に関するものである。
【背景技術】
【０００２】  例えば、実用新案登録第３００５９４２号公報には、ベッドの上に簀子板を置き、その上に畳を敷いた畳ベッドにおいて、簀子板を廃し、内部に木製桟木を入れた畳を使用したことを特徴とする畳ベッドが記載されている。【０００３】  そして、該公報の［考案の詳細な説明］中、［０００２］に、図６は従来の畳ベッドの側面図であるが、ベッド１０の上に簀子板１２を置き、その上に畳１４を敷いた構造にしている。図７は簀子板１２の平面図であるが、この簀子板１２は基礎板１２ａの上に適当な間隔をあけてベニヤ板１２ｂを貼ったものである。このような簀子板１２を用いるのは、畳１４にかかる荷重を受けながらベッド１０との間に通風のための空間を確保するためである旨記載されている。【０００４】  また、該公報の［０００３］に、図８はここで用いられる畳１４の断面図であるが、上から表面材である畳表１６、強度材であるインシュレーションボード１８、断熱材であるポリエチレンボード２０、インシュレーションボード１８及び防虫防湿シート２２を重ね、これらの側面を畳縁２４で覆ったものである旨記載されている。【０００５】  しかしながら、この考案は畳ベッドであり、浴室等において簀子上に畳を組み立て固定して使用するものではない。また、畳上に湯を流した場合、インシュレーションボードは木質繊維を固めたものであり、吸水性があり畳床から容易に水分が排出できる材質及び構造のものではない。したがって、浴室等の水周りで使用でき、かつ洗浄可能な畳はない。
【考案が解決しようとする課題】
【０００６】  本考案は、浴室等において簀子上に畳を簡単に組み立てて使用でき、また、畳上に湯を流した場合でも畳床から容易に水分が排出できる材質及び構造を有する介護用移動組立畳を提供することにある。
【課題を解決する手段】
【０００７】  請求項１の考案は、プラスティック段ボールから成る中空状合成樹脂プレート及び発泡ポリスチレン製芯材を積層した畳床からなる水洗い可能な畳をスノコ上面に着脱自在に固定するようにした介護用移動組立畳を提供するものである。
【０００８】  この考案においては、浴室等においてスノコ上に畳を簡単に組み立てて使用でき、また、畳上に湯を流した場合でも畳床から容易に水分が排出できる材質及び構造を有する介護用移動組立畳を提供することができる。
【０００９】  また、請求項２の考案は、前記水洗い可能な畳がプラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを積層すると共に、合成樹脂製畳表を発泡ポリスチレン製芯材と中空状合成樹脂プレートとの側面で縫合わせるようにした水洗い可能な畳の構造であって、前記スノコの上面に複数の勘合凸部を設けると共に、この勘合凸部に嵌め込む複数の嵌込凹部を水洗い可能な畳底面に設け、これら複数の嵌込凹部は前記底部のプラスティック段ボールを打ち抜いて、前記底部側のプラスティック段ボールの嵌込凹部に前記スノコの勘合凸部が支持されるようにした請求項１記載の介護用移動組立畳を提供するものである。
【００１０】  この考案においては、浴室等においてスノコ上に畳を簡単に組み立てて使用でき、また、畳上に湯を流した場合でも畳から容易に水分が排出でき材質及び構造を有すると共に、畳に水平方向のねじれ作用が生じてもプラスティック段ボールから成る中空状合成樹脂プレートの嵌込凹部にスノコの勘合凸部が支持されて畳の発泡ポリスチレン製芯材が破壊されない。また、嵌込凹部とスノコの勘合凸部との隙間から発泡ポリスチレン製芯材と中空状合成樹脂プレート間及び下部プラスティック段ボールから成る中空状合成樹脂プレート内に貯まる水分を容易に排出できるようにした介護用移動組立畳を提供することができる。
【考案を実施するための最良の形態】
【００１１】  以下に本発明の一実施形態を図面に基づき説明する。図１に示すように、プラスティック段ボールから成る中空状合成樹脂プレート３ｂを挟んで少なくとも２枚の発泡ポリスチレン製芯材２ａ、２ｂを設け、その表面に合成樹脂製畳表１を発泡ポリスチレン製芯材２ａ、２ｂの側面で縫合わせて畳Ａを構成している。前記合成樹脂製畳表１はポリプロピレンを使用している。【００１２】  前記表面側の発泡ポリスチレン製芯材２ａの上面に他の中空状合成樹脂プレート３ａ、合成樹脂発泡シート４ａ及び消臭シート５を挟んで合成樹脂製畳表１を積層し、裏面の芯材２ｂの下面に合成樹脂発泡シート４ｂを設けて合成樹脂製畳表１を芯材２ａ、２ｂの側面で縫合わせている。したがって、中空状合成樹脂プレート３ａ、３ｂは適度な弾性及び表面平滑性を有し、発泡ポリスチレン製芯材２ａ、２ｂの保護とそれらのずれ合う際に発生する音を防止する。発泡樹脂同士が擦れ合うとぎしぎしと不快音が発生する。畳表１上は合成樹脂発泡シート４ａ及び中空状合成樹脂プレート３ａにより適度な柔軟性を持たせることができる。前記合成樹脂発泡シート４ａ、４ｂは発泡ポリプロピレン、消臭シート５は活性炭入りポリエステルシートを使用している。また、合成樹脂発泡シート４ｂは畳Ａを設置する床面（スノコ上面）との滑りを防止する。尚、７は縫い目である。【００１３】  図２に示すように、プラスティック段ボールから成る中空状合成樹脂プレート及び発泡ポリスチレン製芯材を積層した畳床からなる水洗い可能な畳ＡはスノコＢ上面へ着脱自在に固定するようにしている。したがって、風呂場にて簡単に組み立てられ、また使用後は図３のように分離して屋外等へ運んで乾燥させることができるので非常に便利である。【００１４】  図３に示すように、前記スノコＢ上面の四隅に勘合凸部８・・・を設けると共に、この勘合凸部８・・・に嵌め込む４個の嵌込凹部９・・・を畳Ａ底面に設けている。図４に示すように、これら複数の嵌込凹部９・・・は前記底部のプラスティック段ボール３ｂを打ち抜いて、前記底部側のプラスティック段ボールの嵌込凹部９ａ・・・に前記スノコＢの勘合凸部８・・・周囲が支持されるようにしている。したがって、畳Ａに水平方向のねじれ作用が生じてもプラスティック段ボールから成る中空状合成樹脂プレート３ｂの嵌込凹部９ａ・・・にスノコＢの勘合凸部８・・・周囲が支持されるので、畳Ａの発泡ポリスチレン製芯材２ａ、２ｂに応力が働かず破壊されない。【００１５】  また、発泡ポリスチレン製芯材２ａ、２ｂと中空状合成樹脂プレート３ａ、３ｂ間及び下部プラスティック段ボールから成る中空状合成樹脂プレート３ｂ内に貯まる水分を、畳Ａの嵌込凹部９とスノコＡの勘合凸部８・・・との隙間から容易に排出できるようにしている。【００１６】  尚、図４ではスノコＢの勘合凸部８・・・上面が上方のプラスティック段ボール３ａの底部に接しているが、上方の発泡ポリスチレン製芯材２ａを打ち抜かないで勘合凸部８・・・の上面が上方の発泡ポリスチレン製芯材２ａの底面（点線）に当接するようにしても良い。
【発明の効果】
【００１７】  上記の如く本発明においては、浴室等においてスノコ上に畳を簡単に組み立てて使用でき、また、畳上に湯を流した場合でも浸透した畳床から容易に水分を排出できる材質及び構造を有する介護用移動組立畳を提供することができる。
【図面の簡単な説明】
【００１８】
【図１】水洗い可能な畳の断面説明図
【図２】畳をスノコに組立てた状態を示す斜視図
【図３】スノコの上面斜視図及びスノコから展開した畳の底面斜視図
【図４】畳Ａの嵌込凹部にスノコＢの勘合凸部を固定した部分拡大断面図
【符号の説明】
Ａ          畳
Ｂ          スノコ
２ａ、２ｂ  芯材（発泡ポリスチレン）
３ａ、３ｂ  中空状合成樹脂プレート（プラスティック段ボール）
８・・・    スノコＢの勘合凸部
９・・・    畳Ａの嵌込凹部
９ａ・・・  下部中空状合成樹脂プレート３ｂの嵌込凹部
【図１】
0003142709.tif 000003
【図４】
0003142709.tif 000004
【図２】
0003142709.tif 000005
【図３】
0003142709.tif 000006